(57)【特許請求の範囲】
【請求項１】
同一回転軌跡上に複数のフィルタ装着部が形成された回転ディスクと、軸部を有し、該軸部において前記回転ディスクを回転可能に支持するパネルと、前記回転ディスクの外周端部と係合した状態で前記パネルに取り付けられ、前記回転ディスクを前記パネルから離れた位置に保持する複数のディスク保持具とを備えてなり、
前記回転ディスクの回転により、前記各フィルタ装着部に装着されたフィルタをテレビジョンカメラ光学系の光路上に選択的に配置し得るように構成された回転フィルタ装置であって、
前記各ディスク保持具が、１対の円形フランジが軸方向に所定間隔をおいて形成されたリール状の部材からなり、前記１対の円形フランジにより前記回転ディスクの外周端部を軸方向両側から挟持するように構成された回転フィルタ装置において、
前記各ディスク保持具の前記１対の円形フランジのうち、反パネル側の円形フランジに、前記回転ディスクの前記軸部への挿入およびパネル側の円形フランジへの当接を許容する切欠き部が形成されてなることを特徴とするテレビジョンカメラ用回転フィルタ装置。
【請求項２】
前記切欠き部が、前記反パネル側の円形フランジを直線状に切り落とすことにより形成されてなることを特徴とする請求項１記載のテレビジョンカメラ用回転フィルタ装置。
【請求項３】
前記パネルに前記回転ディスクが２枚支持されるように構成されており、
前記各ディスク保持具の反パネル側に、円形フランジが前記反パネル側の円形フランジと軸方向に所定間隔をおいて追加形成されており、
前記追加された円形フランジに、１枚目の回転ディスクの前記軸部への挿入および前記パネル側の円形フランジへの当接を許容するとともに、２枚目の回転ディスクの前記軸部への挿入および前記反パネル側の円形フランジへの当接を許容する切欠き部が形成されてなることを特徴とする請求項１または２記載のテレビジョンカメラ用回転フィルタ装置。
【請求項４】
前記追加された円形フランジの切欠き部が、該円形フランジを前記反パネル側の円形フランジの切欠き部と同一角度位置で直線状に切り落とすとともに、この直線と所定角度をなす直線でさらに切り落とすことにより形成されてなることを特徴とする請求項３記載のテレビジョンカメラ用回転フィルタ装置。
【請求項５】
前記各ディスク保持具の前記パネルへの取付けが、ネジ止め固定により行われていることを特徴とする請求項１〜４のうちいずれか１項記載のテレビジョンカメラ用回転フィルタ装置。
【発明の詳細な説明】
【０００１】
【発明の属する技術分野】
本発明は、テレビジョンカメラの光学系の所定位置に設けられる回転フィルタ装置に関するものである。
【０００２】
【従来の技術】
テレビジョンカメラにおいては異なる撮影条件に対応するため、あるいは普通撮影と特殊撮影とを選択的に行うため、その光学系に回転フィルタ装置が設けられることが多い。
この回転フィルタ装置は、例えば特開昭５８−３０２８３号公報に開示されているように、回転ディスクの回転により、その複数のフィルタ装着部の各々に装着されたフィルタをテレビジョンカメラ光学系の光路上に選択的に配置し得るようになっている。
【０００３】
このような回転フィルタ装置の具体的構成としては、図１０および１１に示すように、同一回転軌跡上に複数のフィルタ装着部１２ｂが形成された回転ディスク１２が、テレビジョンカメラの本体部等に取り付けられるパネル１４の軸部に回転可能に支持されるように構成されたものが知られている。
【０００４】
上記パネル１４には、複数のディスク保持具２が、上記回転ディスク１２の外周端部と係合した状態でネジ止め固定されており、これらディスク保持具２により上記回転ディスク１２を上記パネル１４から離れた位置に保持するようになっている。
上記各ディスク保持具２は、１対の円形フランジ２ａ、２ｂが軸方向に所定間隔をおいて形成されたリール状の部材からなり、上記１対の円形フランジ２ａ、２ｂにより上記回転ディスク１２の外周端部を軸方向両側から挟持するように構成されている。
【０００５】
【発明が解決しようとする課題】
しかしながら、上記従来の回転フィルタ装置においては、上記各ディスク保持具２が単なるリール状の部材からなるため、これら各ディスク保持具２を先にパネル１４に取り付けてしまうと、各ディスク保持具２に回転ディスク１２を係合させることができず、このため回転ディスク１２の装着作業は面倒なものとなる。また、フィルタ交換あるいは保守点検のために、上記回転ディスク１２を取り外そうとした場合においても、上記各ディスク保持具２を一旦上記パネル１４から外す必要があり、その作業もまた面倒なものとなる。
【０００６】
特に、上記回転ディスク１２を２枚以上設けるようにした場合には、上記着脱作業が一層面倒なものとなる。
本発明は、このような事情に鑑みてなされたものであり、回転ディスクの着脱を容易に行うことができるテレビジョンカメラ用回転フィルタ装置を提供することを目的とするものである。
【０００７】
【課題を解決するための手段】
本発明に係るテレビジョンカメラ用回転フィルタ装置は、同一回転軌跡上に複数のフィルタ装着部が形成された回転ディスクと、軸部を有し、該軸部において前記回転ディスクを回転可能に支持するパネルと、前記回転ディスクの外周端部と係合した状態で前記パネルに取り付けられ、前記回転ディスクを前記パネルから離れた位置に保持する複数のディスク保持具とを備えてなり、
前記回転ディスクの回転により、前記各フィルタ装着部に装着されたフィルタをテレビジョンカメラ光学系の光路上に選択的に配置し得るように構成された回転フィルタ装置であって、
前記各ディスク保持具が、１対の円形フランジが軸方向に所定間隔をおいて形成されたリール状の部材からなり、前記１対の円形フランジにより前記回転ディスクの外周端部を軸方向両側から挟持するように構成された回転フィルタ装置において、
前記各ディスク保持具の前記１対の円形フランジのうち、反パネル側の円形フランジに、前記回転ディスクの前記軸部への挿入およびパネル側の円形フランジへの当接を許容する切欠き部が形成されていることを特徴とするものである。
前記「切欠き部」は、前記回転ディスクの、前記パネルの軸部への挿入およびパネル側の円形フランジへの当接を許容するものであれば、その形状は特に限定されるものではなく、例えば、円形フランジを直線状、曲線状、折れ線状等に切り落とすことにより形成されたものが採用可能でる。
【０００８】
前記パネルに前記回転ディスクが２枚支持されるように構成されている場合には、前記各ディスク保持具の反パネル側に、新たな円形フランジが前記反パネル側の円形フランジと軸方向に所定間隔をおいて追加形成されることとなるが、このような場合には、前記追加された円形フランジに、１枚目の回転ディスクの前記パネルの軸部への挿入および前記パネル側の円形フランジへの当接を許容するとともに、２枚目の回転ディスクの前記軸部への挿入および前記反パネル側の円形フランジへの当接を許容する切欠き部を形成した構成とすればよい。
【０００９】
この「切欠き部」についても、その形状は特に限定されるものではなく、例えば、前記追加された円形フランジを前記反パネル側の円形フランジの切欠き部と同一角度位置で直線状に切り落とすとともに、この直線と所定角度をなす直線でさらに切り落とすことにより形成されたもの等が採用可能でる。
【００１０】
前記各ディスク保持具の前記パネルへの取付構造は、特に限定されるものではないが、例えばネジ止め固定構造が採用可能である。
【００１１】
【発明の実施の形態】
以下、図面を用いて、本発明の実施の形態について説明する。
まず、本発明の第１実施形態について説明する。
【００１２】
図１は、本実施形態に係るテレビジョンカメラ用回転フィルタ装置示す正面図であり、図２は、図１のII-II 線断面図であり、図３は、上記回転フィルタ装置を備えたテレビジョンカメラを示す図である。
図１および２に示すように、この回転フィルタ装置１０は、回転ディスク１２と、パネル１４と、３つのディスク保持具１６とを備えてなっている。
【００１３】
上記回転ディスク１２は、円板状の部材であって、その中心に軸孔１２ａが形成されるとともに、図中２点鎖線で示す同一回転軌跡上の５箇所にフィルタ装着部１２ｂが形成されており、これら各フィルタ装着部１２ｂに円形のフィルタ１８が各々装着されるようになっている。これら５枚のフィルタ１８は、濃度の異なるＮＤフィルタで構成されている。
【００１４】
上記パネル１４は、浅い箱形に形成されたパネル本体２０と、このパネル本体２０の中央に固着された軸部材２２とからなり、この軸部材２２に上記回転ディスク１２の軸孔１２ａを挿通せしめた状態で該回転ディスク１２を回転可能に支持するようになっている。上記パネル本体２０には開口２０ａが形成されている。
【００１５】
上記回転ディスク１２の外周面は歯車状に形成されており、これと噛合する駆動ギヤ（図示せず）を駆動することにより、回転ディスク１２を回転軸線Ａｘ回りに回転させ、任意のフィルタ１８を上記開口２０ａに一致させることができるようになっている。そして、これにより、上記各フィルタ装着部１２ｂに装着されたフィルタ１８を、図３に示すように、テレビジョンカメラ光学系における撮像光学系１０２と色分解プリズム光学系１０４との間の光路上に選択的に配置し得るようになっている。
【００１６】
上記各ディスク保持具１６は、上記回転ディスク１２の外周端部と係合した状態で上記パネル本体２０に取り付けられ、上記回転ディスク１２をパネル本体２０から離れた位置において該パネル本体２０と平行な姿勢で保持するようになっている。
【００１７】
上記各ディスク保持具１６は、１対の円形フランジ１６ａ、１６ｂが軸方向に所定間隔をおいて形成されたリール状の部材からなり、上記１対の円形フランジ１６ａ、１６ｂにより上記回転ディスク１２の外周端部を軸方向両側から挟持するようになっている。
【００１８】
また、上記各ディスク保持具１６の中心部にはネジ挿通孔１６ｃが形成されており、これら各ディスク保持具１６の上記パネル本体２０への取付けはネジ止め固定により行われるようになっている。
【００１９】
すなわち、上記パネル本体２０における上記回転ディスク１２の外周端近傍部位には、上記回転軸線Ａｘを中心として約１２０°間隔で３つのネジ孔２０ｂが形成されている。そして、上記各ディスク保持具１６のネジ挿通孔１６ｃにネジ２４を挿通させて上記パネル本体２０のネジ孔２０ｂに螺合させることにより、上記各ディスク保持具１６を上記パネル本体２０に取り付けるようになっている。
【００２０】
上記各ディスク保持具１６の１対の円形フランジ１６ａ、１６ｂのうち、反パネル側の円形フランジ１６ｂには切欠き部１６ｄが形成されている。この切欠き部１６ｄは、上記円形フランジ１６ｂをその半径方向と直交する方向の直線で切り落とすことにより形成されている。
【００２１】
上記各ディスク保持具１６は、上記パネル本体２０に完全にネジ止め固定される前の状態では、上記ネジ２４を中心にして回転可能である。この状態で、上記各ディスク保持具１６を回転させてその切欠き部１６ｄを、図４および５に示すように、上記回転軸線Ａｘ側に向けることにより、上記回転ディスク１２の、上記パネル１４の軸部２２への挿入およびパネル側の円形フランジ１６ａへの当接を許容するようになっている。
【００２２】
図６は、上記各ディスク保持具１６による上記回転ディスク１２の挟持の様子を詳細に示す斜視図である。
【００２３】
図６において、上記ディスク保持具１６の回転角度位置を、その円形フランジ１６ｂに形成された切欠き部１６ｄが同図（ａ）に示す位置になるようにした状態で、上記回転ディスク１２を上記円形フランジ１６ａに当接させた後、上記ディスク保持具１６を約１８０°回転させることにより、同図（ｂ）に示すように、上記円形フランジ１６ｂが上記回転ディスク１２の外周端部上面と重なるようにし、これにより上記１対の円形フランジ１６ａ、１６ｂによる上記回転ディスク１２の外周端部の軸方向両側からの挟持を行うようになっている。そして、この状態で上記ネジ２４を締め付けることにより、上記ディスク保持具１６を上記パネル本体２０に完全にネジ止め固定し、これにより上記回転ディスク１２の装着を完了するようになっている。
【００２４】
以上詳述したように、本実施形態に係るテレビジョンカメラ用回転フィルタ装置１０は、回転ディスク１２をパネル１４のパネル本体２０から離れた位置に保持する３つのディスク保持具１６の各々が、１対の円形フランジ１６ａ、１６ｂが軸方向に所定間隔をおいて形成されたリール状の部材からなり、上記１対の円形フランジ１６ａ、１６ｂにより上記回転ディスク１２の外周端部を軸方向両側から挟持するように構成されているが、上記各ディスク保持具１６は、その１対の円形フランジ１６ａ、１６ｂのうち、反パネル側の円形フランジ１６ｂに、上記回転ディスク１２の上記パネル１４の軸部材２２への挿入およびパネル側の円形フランジ１２ａへの当接を許容する切欠き部１６ｄが形成されているので、次のような効果を得ることができる。
【００２５】
すなわち、上記パネル本体２０にネジ２４で仮止めされた上記各ディスク保持具１６を、その切欠き部１６ｄが互いに内向きになる角度位置にした状態で、上記回転ディスク１２を上記軸部材２２に挿入するとともに上記パネル側の円形フランジ１６ａに当接させた後、上記各ディスク保持具１６を約１８０°回転させて上記ネジ２４で締め付けるだけの簡単な操作で、上記１対の円形フランジ１６ａ、１６ｂにより上記回転ディスク１２の外周端部を軸方向両側から挟持して該回転ディスク１２を上記パネル本体２０から離れた位置に保持することができる。一方、この保持状態から上記ネジ２４を弛めて上記各ディスク保持具１６を回転させ、その切欠き部１６ｄを互いに内向きになる角度位置にするだけの簡単な操作で、上記回転ディスク１２を上記パネル１４から取り外すことができる。
【００２６】
このように、本実施形態によれば、テレビジョンカメラ用回転フィルタ装置において、その回転ディスクの着脱を容易に行うことができる。
なお、本実施形態においては、上記回転ディスク１２装着の際、上記各ディスク保持具１６を約１８０°回転させるようにしたが、それ以外の角度であっても、上記反パネル側の円形フランジ１６ｂを上記回転ディスク１２の外周端部上面と重ねることができる回転角度であればよい。
【００２７】
次に、本発明の第２実施形態について説明する。
図７は、本実施形態に係るテレビジョンカメラ用回転フィルタ装置示す正面図であり、図８は、図７のVIII-VIII 線断面図である。
これらの図に示すように、この回転フィルタ装置３０は、２枚の回転ディスク３２Ａ、３２Ｂと、パネル３４と、３つのディスク保持具３６とを備えてなっている。
【００２８】
上記回転ディスク３２Ａ、３２Ｂの構成は、第１実施形態の回転ディスク１２と同様であるが、１枚目（パネル寄り）の回転ディスク３２Ａの各フィルタ装着部３２Ａｂに装着された５枚のフィルタ３８Ａが、上記回転ディスク１２と同様いずれもＮＤフィルタで構成されているのに対し、２枚目の回転ディスク３２Ｂの各フィルタ装着部３２Ｂｂに装着された５枚のフィルタ３８Ｂは、いずれも色温度変換フィルタで構成されている。
【００２９】
上記パネル３４の構成は、基本的に第１実施形態のパネル１４と同様であるが、上記２枚の回転ディスク３２Ａ、３２Ｂが設けられることに伴い、そのパネル本体４０の周壁部および軸部材４２の高さ寸法が高めに設定されている。
【００３０】
上記３つのディスク保持具３６は、上記回転ディスク３２Ａをパネル本体４０から離れた位置において該パネル本体４０と平行な姿勢で保持するとともに、上記回転ディスク３２Ｂを上記回転ディスク３２Ａから離れた位置において該回転ディスク３２Ａと平行な姿勢で保持するように構成されており、かつ、これら２枚の回転ディスク３２Ａ、３２Ｂの着脱を容易に行い得るようにするため、以下のような構成となっている。
【００３１】
すなわち、上記各ディスク保持具３６は、３つの円形フランジ３６ａ、３６ｂ、３６ｃが軸方向に所定間隔をおいて形成されたリール状の部材からなり、上記円形フランジ３６ａ、３６ｂにより上記回転ディスク３２Ａの外周端部を軸方向両側から挟持するとともに、上記円形フランジ３６ｂ、３６ｃにより上記回転ディスク３２Ｂの外周端部を軸方向両側から挟持するようになっている。
【００３２】
上記３つの円形フランジ３６ａ、３６ｂ、３６ｃのうち、中央の円形フランジ３６ｂには、第１実施形態の反パネル側の円形フランジ１６ｂに形成された切欠き部１２ｄと同一形状の切欠き部３６ｄが形成されており、また、反パネル側の円形フランジ３６ｃには、折れ線状の切欠き部３６ｅが形成されている。この切欠き部３６ｅは、上記円形フランジ３６ｃを上記切欠き部３６ｄと同じ角度位置で直線状に切り落とすとともに、この直線と所定角度（約６０°）をなす直線で該円形フランジ３６ｃをさらに切り落とすことにより形成されている。
【００３３】
このように上記切欠き部３６ｄおよび３６ｅを形成することにより、１枚目の回転ディスク３２Ａの上記軸部材４２への挿入およびパネル側の円形フランジ３６ａへの当接を許容するとともに、２枚目の回転ディスク３２Ｂの上記軸部４２への挿入および上記中央の円形フランジ３６ｂへの当接を許容するようになっている。
【００３４】
図９は、上記各ディスク保持具３６による上記２枚の回転ディスク３２Ａ、３２Ｂの挟持の様子を詳細に示す斜視図である。
【００３５】
図９において、上記ディスク保持具３６の回転角度位置を、その円形フランジ３６ｂに形成された切欠き部３６ｄが同図（ａ）に示す位置になるようにした状態で、１枚目の回転ディスク３２Ａを上記円形フランジ３６ａに当接させた後、上記ディスク保持具３６を約６０°回転させることにより、同図（ｂ）に示すように、上記円形フランジ３６ｂが上記回転ディスク３２Ａの外周端部上面と重なるようにするとともに、上記円形フランジ３６ｂの折れ線状の切欠き部３６ｅのもう１つの面が内向きとなるようにする。この状態で、２枚目の回転ディスク３２Ｂを上記円形フランジ３６ｂに当接させた後、上記ディスク保持具３６を約１２０°回転させることにより、同図（ｃ）に示すように、上記円形フランジ３６ｃが上記回転ディスク３２Ｂの外周端部上面と重なるようにする。
【００３６】
これにより、上記３つの円形フランジ３６ａ、３６ｂ、３６ｃによる、上記２枚の回転ディスク３２Ａ、３２Ｂの外周端部の軸方向両側からの挟持が行われることとる。そして、この状態で上記ネジ２４を締め付けて上記ディスク保持具３６を上記パネル本体４０に完全にネジ止め固定することにより、上記回転ディスク３２Ａ、３２Ｂの装着が完了することとなる。
【００３７】
以上詳述したように、本実施形態に係るテレビジョンカメラ用回転フィルタ装置３０は、２枚の回転ディスク３２Ａ、１２Ｂがパネル３４に装着されるようになっているが、上記各ディスク保持具３６の３つの円形フランジ３６ａ、３６ｂ、３６ｃのうち、中央の円形フランジ３６ｂには、１枚目の回転ディスク３２Ａの上記軸部材４２への挿入およびパネル側の円形フランジ３６ａへの当接を許容する切欠き部３６ｄが形成されており、また、反パネル側の円形フランジ３６ｃには、１枚目の回転ディスク３２Ａの上記軸部材４２への挿入およびパネル側の円形フランジ３６ａへの当接を許容するとともに、２枚目の回転ディスク３２Ｂの上記軸部４２への挿入および上記中央の円形フランジ３６ｂへの当接を許容する切欠き部３６ｅが形成されているので、上記各ディスク保持具３６を適宜回転させることにより、上記各回転ディスク３２Ａ、３２Ｂの着脱を容易に行うことができる。
【００３８】
上記各実施形態においては、回転ディスクに７２°間隔で５つのフィルタ装着部が形成された回転フィルタ装置について説明したが、４箇所以下あるいは６箇所以上にフィルタ装着部を形成するようにしてもよく、また、これらフィルタ装着部は必ずしも等角度間隔で形成する必要はない。
【００３９】
【発明の効果】
本発明に係るテレビジョンカメラ用回転フィルタ装置は、回転ディスクをパネルから離れた位置に保持する複数のディスク保持具の各々が、１対の円形フランジが軸方向に所定間隔をおいて形成されたリール状部材からなり、上記１対の円形フランジにより上記回転ディスクの外周端部を軸方向両側から挟持するように構成されているが、上記各ディスク保持具は、その１対の円形フランジのうち、反パネル側の円形フランジに、上記回転ディスクの上記パネルの軸部への挿入およびパネル側の円形フランジへの当接を許容する切欠き部が形成されているので、次のような効果を得ることができる。
【００４０】
すなわち、上記各ディスク保持具をその切欠き部が互いに内向きになる角度位置にした状態で、上記回転ディスクを上記軸部に挿入するとともに上記パネル側の円形フランジに当接させた後、上記各ディスク保持具を所定角度回転させるだけの簡単な操作で、上記１対の円形フランジにより上記回転ディスクの外周端部を軸方向両側から挟持して該回転ディスクを上記パネルから離れた位置に保持することができる。一方、この保持状態から上記各ディスク保持具を回転させてその切欠き部を互いに内向きになる角度位置にするだけの簡単な操作で、上記回転ディスクを上記パネルから取り外すことができる。
このように、本発明によれば、テレビジョンカメラ用回転フィルタ装置において、その回転ディスクの着脱を容易に行うことができる。
【００４１】
また、上記パネルに回転ディスクが２枚支持されるように構成されている場合には、上記各ディスク保持具の反パネル側に、新たな円形フランジが上記反パネル側の円形フランジと軸方向に所定間隔をおいて追加形成されることとなるが、本発明においては、この場合、上記追加された円形フランジに、１枚目の回転ディスクの上記パネルの軸部への挿入および上記パネル側の円形フランジへの当接を許容するとともに、２枚目の回転ディスクの前記軸部への挿入および上記反パネル側の円形フランジへの当接を許容する切欠き部が形成されているので、上記各ディスク保持具を適宜回転させることにより、上記各回転ディスクの着脱を容易に行うことができる。
【００４２】
上記パネルに回転ディスクが３枚以上支持されるように構成されたテレビジョンカメラ用回転フィルタ装置同様においても、上記各ディスク保持具に、上記回転ディスクの枚数に応じた枚数の新たな円形フランジを形成し、かつ、これら各円形フランジに、上記各回転ディスクを軸方向から装着可能とする切欠き部を形成するようにすれば、上記各回転ディスクの着脱を容易に行うことができる。
本発明において使用可能なフィルタは、上記各実施形態において使用したフィルタに限定されるものではなく、例えばＮＤフィルタ、色温度フィルタ、クロススクリーンフィルタ等を適当に組み合わせて使用することが可能である。
【図面の簡単な説明】
【図１】本発明の第１実施形態に係るテレビジョンカメラ用回転フィルタ装置を示す正面図
【図２】図１のII-II 線断面図
【図３】上記回転フィルタ装置を備えたテレビジョンカメラの光学系を示す概要図
【図４】第１実施形態の作用を示す図１と同様の図
【図５】第１実施形態の作用を示す図２と同様の図
【図６】第１実施形態の各ディスク保持具による回転ディスク挟持の様子を詳細に示す斜視図
【図７】本発明の第２実施形態に係るテレビジョンカメラ用回転フィルタ装置を示す正面図
【図８】図７のVIII-VIII 線断面図
【図９】第２実施形態の各ディスク保持具による回転ディスク挟持の様子を詳細に示す斜視図
【図１０】従来例を示す図１と同様の図
【図１１】図１０のXI-XI 線断面図
【符号の説明】
１０  回転フィルタ装置
１２  回転ディスク
１２ａ  軸孔
１２ｂ  フィルタ装着部
１４  パネル
１６  ディスク保持具
１６ａ、１６ｂ  円形フランジ
１６ｃ  ネジ挿通孔
１６ｄ  切欠き部
１８  フィルタ
２０  パネル本体
２０ａ  開口
２０ｂ  ネジ孔
２２  軸部材
２４  ネジ
３０  回転フィルタ装置
３２Ａ、３２Ｂ  回転ディスク
３２Ａｂ、３２Ｂｂ  フィルタ装着部
３４  パネル
３６  ディスク保持具
３６ａ、３６ｂ、３６ｃ  円形フランジ
３６ｄ、３６ｅ  切欠き部
３８Ａ、３８Ｂ  フィルタ
４０  パネル本体
４２  軸部材
１００  テレビジョンカメラ
１０２  撮像光学系
１０４  色分解プリズム光学系
Ａｘ  回転軸線
【図１】
0003725273.tif 000002
【図２】
0003725273.tif 000003
【図３】
0003725273.tif 000004
【図４】
0003725273.tif 000005
【図５】
0003725273.tif 000006
【図６】
0003725273.tif 000007
【図７】
0003725273.tif 000008
【図８】
0003725273.tif 000009
【図９】
0003725273.tif 000010
【図１０】
0003725273.tif 000011
【図１１】
0003725273.tif 000012